(57)【要約】【課題】操作性の良い主としてトーピードに使用されるランスパイプを提供する。【解決手段】主管１１の先端部の側面に短いノズル管１３を傾斜して設け、その部分を耐火物層２の膨大部２２の内部に埋設した。この膨大部２２の最大直径長さを主管１１の大部分を覆う耐火物層２の棒状部２１の直径の３倍以内とすると共に膨大部２２のノズル突出方向側の耐火物層の厚さ／背向方向側の耐火物層の厚さを１．１〜４．５とし、トーピードの開口への挿入操作を容易にした。【選択図】図１
2016161210.tif 000002
【特許請求の範囲】
【請求項１】
ガス及び処理剤を溶銑に供給する供給通路となる直筒状の金属製の主管と該主管の先端側側面に一体的に設けられた金属製のノズル管とを持つ芯金と、該主管及び該ノズル管の外周面を覆う基部側が細く先端側が太い耐火物層とを有し、
該耐火物層を持つ該基部側の最大直径相当長さを１００としたとき該先端側の太い部分の最大直径相当長さが３００以下であり、
該太い部分の該主管の外周面から該耐火物の表面までの厚さは該ノズル管の突出方向側とその反対の背向方向側の厚さの比であるノズル突出方向側厚さ／背向方向側厚さが１．１〜４．５であることを特徴とするランスパイプ。
【請求項２】
前記太い部分の断面において、前記ノズル突出方向側の先端と前記背向方向側の先端とを結ぶ長軸の長さに対するその直角方向の短軸の長さの比である長軸長さ／短軸長さは１．０より大きく１．８以下である請求項１記載のランスパイプ。
【請求項３】
前記太い部分の断面形状は長円形状、楕円形状あるいは一端側が大きい卵形状である請求項１または２に記載のランスパイプ。
【請求項４】
前記耐火物層を持つ前記基部側の最大直径相当長さを１００としたとき前記先端側の前記太い部分の最大直径相当長さが１７０以下である請求項１から３のいずれか一項に記載のランスパイプ。
【請求項５】
前記ノズル管の長さは該ノズル管の内径の２．０〜１０．０倍である請求項１から４のいずれか一項に記載のランスパイプ。
【請求項６】
前記ノズル管は複数本である請求項１から５のいずれか一項に記載のランスパイプ。
【請求項７】
前記ノズル管は２本であり、前記主管の先端側側面の同一周方向から突出し、２本の該ノズル管のなす角度は３０〜１５０度であり、２本の該ノズル管の孔の断面積の和は該主管の孔の断面積の０．７〜１．２倍である請求項１から５のいずれか一項に記載のランスパイプ。
【請求項８】
前記ノズル管は１本であり、該ノズル管の孔の断面積は前記主管の孔の断面積の０．７〜１．０倍である請求項１から５のいずれか一項に記載のランスパイプ。
【発明の詳細な説明】
【技術分野】
【０００１】
本発明は、主として溶銑を保持するトーピード内に先端を挿入浸漬してガス及び処理剤を吹き込むために使用されるランスパイプに関する。
【背景技術】
【０００２】
トーピード用のランスパイプとしては特開２０１１−０１７５２９号公報にあるように、先端部を斜め方向に曲げたＬ字形状のＬ型ランスパイプが知られている。このＬ型ランスパイプは先端が斜め方向に延びているためトーピードの開口に挿入するに際し挿入する部分が開口に対してできるだけ垂直方向に挿し込む操作が必要となり操作が難しいという問題があった。また、従来のＬ型ランスパイプはガス及び処理剤の吹込み時に大きな振動が発生して吹込み操作が難しく、耐久性に乏しいといった問題があった。
【先行技術文献】
【特許文献】
【０００３】
【特許文献１】特開２０１１−０１７５２９号公報
【発明の概要】
【発明が解決しようとする課題】
【０００４】
本発明は従来のＬ型ランスパイプの操作の難しさを克服あるいは低減できるランスパイプを提供することを課題とする。
【課題を解決するための手段】
【０００５】
本発明者はランスパイプの先端部をＬ字形状に曲げる代わりに先端部を太くして太い部分にノズルとなる部分を斜め方向に埋設することに思い至り本発明のランスパイプを得たものである。
【０００６】
本発明のランスパイプは、ガス及び処理剤を溶銑に供給する供給通路となる直筒状の金属製の主管と該主管の先端側側面に一体的に設けられた金属製のノズル管とを持つ芯金と、該主管及び該ノズル管の外周面を覆う基部側が細く先端側が太い耐火物層とを有し、該耐火物層を持つ該基部側の最大直径相当長さを１００としたとき該先端側の太い部分の最大直径相当長さが３００以下であり、該太い部分の該主管の外周面から該耐火物の表面までの厚さは該ノズル管の突出方向側とその反対の背向方向側の厚さの比であるノズル突出方向側厚さ／背向方向側厚さが１．１〜４．５であることを特徴とする。
【０００７】
本発明のランスパイプは、先端側の太い部分の太さが基部側の部分の太さの３倍以内である。このためランスパイプをトーピードの開口に挿入する場合も容易に挿入できる。またこのランスパイプは直線的な棒状であるためランスパイプの延びる方向にランスパイプを送り込むことにより容易にトーピード内の操業部分にランスパイプの先端部を送り込むことができる。
【０００８】
太い部分の耐火物の厚さを基部側の部分より厚くするとともに、さらに、ノズル管の突出方向側の厚さがその反対の背向方向側の厚さの１．１〜４．５倍と異なる厚さとしている。このため、このランスパイプは先端側の太い部分の耐食性に優れ、特にノズル管の突出方向側の耐食性に優れている。ここでノズル管の突出方向側とは１本のノズル管の場合はそのノズル管の延びる方向側を意味し、ノズル管が複数ある場合はそれらの中央に位置する側を意味する。
【０００９】
本発明のランスパイプは、芯金を構成する主管とノズル管及びこれらを覆う耐火物層とからなる。主管は直筒状の金属製である。この主管の先端は底栓により閉じられている。逆方向の基部側は開口し、この開口よりガス及び処理剤が供給される。主管の基部側は溶銑処理用のガス及び処理剤供給装置に固定保持されるためのフランジ等が設けられている。
【００１０】
ノズル管も主管と同じ直筒状の金属製である。このノズル管は主管の先端側の側面に形成された開口を塞ぐようにその開口部分に一体的に溶接固定されている。ノズル管と主管の傾斜角度は、主管の基部側とノズル管の先端側のなす角度で規定すると１００〜１５０度であるのが好ましい。なお、この角度はこのランスパイプがトーピードの開口から挿入され、先端部がトーピードに保持されている溶銑に浸漬されてガス及び処理剤がノズル管の先端開口より溶銑中に噴出されるときの方向となる。トーピード内でガス及び処理剤を水平方向に噴出するものとすると、このランスパイプは水平に対して１００〜１５０度傾斜して挿入されていることになる。
【００１１】
ノズル管の長さはノズル管の内径の２．０〜１０．０倍とすることができる。２．０倍以上であれば安定した吹込みが可能となる。ノズル管が長いと噴出ガスの方向性が高くなる。しかしノズル管が長いとランスパイプの先端側の太い部分の太さが増しトーピード内の操業部分にランスパイプの先端部を送り込むことが難しくなる。
【００１２】
ノズル管の先端側を細く絞ることもあるいは扁平状に絞ることもできる。扁平状に絞る場合は、操業時の開口の延びる方向が水平方向となるようにすることもできる。
【００１３】
ノズル管は１本の主管に対して１本でも２本あるいは３本の複数個でも良い。１本の主管に１本のノズル管を設ける場合、そのノズル管の孔の断面積は主管の孔の断面積の０．７〜１．０倍とすることができる。０．７倍より小さいと振動が大きくなり耐用が落ちる。
【００１４】
１本の主管に複数個のノズル管の配置する場合、主管の先端側側面の同一周方向に沿って開口した連続した長穴あるいは間隔を隔て互いに独立した複数個の開口を複数個のノズル管で塞ぐように溶接固定することができる。
【００１５】
１本の主管に設けられた複数個のノズル管のなす角度は、隣接する２本のノズル管のなす角度で３０〜１５０度であるのが好ましい。なお、ノズル管を複数個にすることにより１本の場合に比較して噴出方向のベクトル数が増え、そのベクトル数が多くなるほど噴出力は分散されガス噴出に起因するノズルの振動を小さくすることができる。なお、複数個のノズル管の孔の断面積の総和は主管の孔の断面積０．７〜１．２倍とすることができる。
【００１６】
参考までに主管の孔の直径が５２．７ｍｍと一定とし、２本のノズル管の孔の直径を変え、主管の孔の断面積Ｓｏと２本のノズル管の孔の断面積の和Ｓの比Ｓ／Ｓｏを０．５，０．７，１．０，１．２及び１．３と変えた５種類のランスパイプを作った。これらのランスパイプの先端を溶湯中に浸漬し、ガス量を１４．５Ｎｍ3／ｍｉｎ．と一定として各ランスパイプの耐用寿命を求めた。その結果を図４に示す。Ｓ／Ｓｏが０．５と１．３のランスパイプは耐用寿命が短く、Ｓ／Ｓｏが０．７〜１．２のものは高い寿命を持つものであった。なお、Ｓ／Ｓｏが０．５と１．３のランスパイプはＳ／Ｓｏが０．７〜１．２のものに比較してガス噴出による振動が激しかった。同様に、1本のノズル管を持つランスパイプでは、Ｓ／Ｓｏが０．７〜１．０のものが高い寿命を持った。
【００１７】
主管及びノズル管からなる芯金は二重管とすることもできる。二重管の場合、内側の管の内周面で区画される第１の通路と外側の管の内周面と内側の管の外周面で区画される筒状の第２の通路を持つ。第１の通路には１本の芯金と同様に溶銑処理用のガス及び処理剤が搬送される。第２の通路は通常炭化水素ガス等の冷却ガスが搬送される。
【００１８】
耐火物層は主管及びノズル管の外周面を覆うもので、このランスパイプでは基部側が細く先端側が太く形成されている。基部側の最大直径相当長さを１００としたとき先端側の太い部分の最大直径相当長さが３００以下である。ここで最大直径相当長さとは、断面が円形の場合はその直径を意味し、断面が長円の場合は長円の両端の長さを意味する。耐火物層は、溶銑及び溶銑の熱より芯金を断熱保護するもので、主管のトーピード内に挿入されない基部側の外周面は溶銑の熱での加熱が少ないので通常設けられない。
【００１９】
耐火物層を持つ基部側の最大直径相当長さを１００としたとき先端側の太い部分の最大直径相当長さが１７０以下であるのが好ましい。太い部分が細い部分の１．７倍と３倍より細くなるため、このランスパイプをトーピードの開口に挿入する操作がより容易になる。
【００２０】
太い部分の耐火物の厚さ、すなわち、主管の外周面からそれを覆う耐火物の表面までの距離は、ノズル管の突出方向側とその反対の背向方向側の厚さの比であるノズル突出方向側厚さ／背向方向側厚さが１．１〜４．５である。ノズル管の突出方向側の耐火物は当然にノズル管そのものを埋設するために厚くする必要があるがノズル管から噴出するガスにより攪拌されて浸食性をます溶湯から芯金を保護するためにも厚い耐火物を必要とする。このため、ノズル突出方向側の耐火物の厚さ／背向方向側の耐火物の厚さは少なくとも１．１であることが必要である。ノズル突出方向側厚さ／背向方向側厚さが大きくなると主管及びノズル管が位置する先端側の太い部分の最大直径相当長さが基部側の最大直径長さの３倍を超えて太くなりすぎる。このためノズル突出方向側厚さ／背向方向側厚さ４．５以下である必要がある。なお、好ましいノズル突出方向側厚さ／背向方向側厚さは１．５〜４．０、より好ましくは２．０〜３．５である。
【００２１】
この太い部分の断面形状は円形状でも良いが、ノズル突出方向側の先端とその背向方向側の先端とを結ぶ方向が長く、その直角方向が短い長円形状、楕円形状、一端側が大きい卵形状のものが好ましい。具体的には、断面形状で、最も長い径に当たる長軸の長さに対するその直角方向の短軸の長さの比である長軸長さ／短軸長さは１．０より大きく１．８以下であるのが好ましい。太い部分の断面形状を長円形状とすることにより、この太い部分をトーピードの操作開口に挿入する作業が容易となり、低資源、低コストが可能となる。さらには、長軸方向はノズル管の延びる方向となり耐火物の厚さが厚くなるため、耐火物層の芯金からの脱落を少なくすることができる。
【００２２】
なお、芯金の外周面にＶ字形状、Ｔ字形状あるいはＹ字形状のスタッドを固定し耐火物層中に埋設して芯金と耐火物層の一体性を高め、耐火物層の部分的な脱落を防止することは好ましいことである。
【００２３】
芯金及び耐火物層の素材は従来のものを採用できる。
【発明の効果】
【００２４】
本発明のランスパイプは、先端部分の太さが基部側部分の太さの３倍以内である。このためランスパイプをトーピードの開口に挿入する場合も容易に挿入できる。またこのランスパイプは直線的な棒状であるためランスパイプの延びる方向にランスパイプを送り込むことにより容易にトーピード内の操業部分に先端部を送り込むことができる。
【００２５】
さらに、ノズル管の突出方向側の厚さがその反対の背向方向側の厚さの１．１〜４．５倍と異なる厚さとしている。このため、このランスパイプは先端側の太い部分の耐食性に優れ、特にノズル管の突出方向側の耐食性に優れている。
【００２６】
１本の主管に複数個のノズル管を設けると１本の場合に比較してガス噴出に起因するノズルの振動を小さくすることができ、ノズル管の耐久性が増す。
【００２７】
耐火物層の太い部分の断面形状を長円形状とすることにより耐火物層の芯金からの脱落を少なくすることができ、耐久性が増す。
【図面の簡単な説明】
【００２８】
【図１】実施例に示すランスパイプの主管の中心軸及び一方のノズル管の中心軸を含む断面の要部断面図である。
【図２】実施例に示すトーピード用ランスパイプの２本のノズル管の中心軸を含む断面図である。
【図３】参考として示すトーピード用ランスパイプの２本のノズル管の中心軸を含む断面図である。
【図４】参考として示すトーピード用ランスパイプの主管の孔の断面積Ｓｏと２本のノズル管の孔の断面積の和Ｓの比Ｓ／Ｓｏと耐用寿命の関係を示す図である。
【発明を実施するための形態】
【００２９】
本発明の実施例１のランスパイプの主管の中心軸及び一方のノズル管の中心軸を含む断面の要部断面図を図１に、同じトーピード用ランスパイプの２本のノズル管中心軸を含む断面図を図２に示す。
【００３０】
このトーピード用ランスパイプは芯金１を構成する鋼鉄製の主管１１と２本の鋼鉄製のノズル管１２，１３とこれらの外周面を覆うキャスタブルで形成された耐火物層２とを有する。主管１１は両端開口の直管で、図１においてはその基部側が省略されている。主管１１の基部側の端部には図示しないフランジが一体的に固定され、図示しないガス吹き込み装置に着脱可能となっている。この主管１１の先端部分の側面には、軸方向に長く周方向に接して列をなす２個の開口１１１，１１２が形成されている。また、主管１１の先端側開口には円柱状の鉄ブロックよりなる栓１１５が固定されている。
【００３１】
２本のノズル管１２，１３の長さはいずれもノズル官１２，１３の内径の３倍である。これらノズル管１２，１３は主管１１より細い管で、主管１１の孔の断面積の約４５％の孔の断面積を持つ。２本のノズル管の孔の断面積の和は、主管の孔の断面積の約９０％になる。２本のノズル管の形状は図１から明らかなように両端が斜め方向に切断されている。各ノズル管の主管に対する傾きは約１１５度である。また、２本のノズル管１１のなす角度は約９０度である。
【００３２】
これらノズル管１２，１３はその一端が主管１１の側面に形成された開口１１１，１１２に合わされて主管１１と一体的に溶接されている。
【００３３】
ガス及び処理剤の通路は、主管１１の内周面と栓１１５の端面で区画される主通路１０とノズル管１２，１３の内周面で区画されるノズル通路１２０，１３０とからなる。
【００３４】
芯金１は前記した構成を持つ。
【００３５】
耐火物層２は、上記芯金１を鋳型内に固定し、キャスタブルを鋳込んで形成したものである。なお、芯金１の主管１１の外周面には金網が巻かれ、主管１１の先端部分及びノズル管１２，１３の外周面にはＶ字形状及びＹ字形状のスタッドが予め固定せれ、キャスタブルに鋳込まれて耐火物層２内に埋設されている。これら金網及びスタッドは芯金１と耐火物層２の一体性の保持に寄与する。
【００３６】
耐火物層２は、図１に示されているように、主管１１の図示しない基部の端部を除く大部分を所定の厚さの筒状部２１とし、先端側においては太い膨大部２２とし、その間を中間部２３としている。
【００３７】
図２はノズル管１２，１３の中心軸を含む面で切断した端面図で、主管１１の軸に対して傾斜した傾斜断面を示すものであるが、図２から明らかなように、膨大部２２の断面形状は長円形をしており、長軸方向の一端側に主管１１が位置し、他端側に２本のノズル管１２，１３がＶ字状に埋設されている。
【００３８】
このランスパイプの棒状部２１の外周径に当たる直径を１００としたとき、膨大部２２の直角断面の長軸方向距離を１７０としている。この長軸方向距離に対して直角の短軸方向距離は１４０である。また、膨大部２２の主管１１の外周面からそれを覆う耐火物の表面までの厚さは、ノズル管１２，１３の突出方向側の反対の背向方向側の厚さを１００としたとき、ノズル管１２，１３の突出方向側の厚さは２５０である。
【００３９】
本実施例のトーピード用ランスパイプは以上の構成を持つ。
【００４０】
このトーピード用ランスパイプは溶銑処理用のガス、処理剤吹込み装置にその基部が固定され、先端側がトーピードの開口に挿し込まれ、トーピード内に保持されている溶銑にその膨大部２２、中間部２３及び棒状部２１の先端側が埋没する状態とする。この操作はこのランスパイプが棒状で先端側にＬ字状の曲りが無いため、容易に挿し込めることができる。この状態でランスパイプは斜めに傾斜した状態で、２本のノズル管１２，１３は水平方向に位置する。
【００４１】
この状態で主管１１の基部側開口より処理ガスと処理剤が吹き込まれる。吹き込まれたガスと処理剤は主管１１の主通路１０を流れ、栓１１５の端面からなる底に当たり角度を変えて２本のノズル管１２，１３のノズル通路１２０，１３０に入り、それらの先端開口より溶銑に吹き込まれる。溶銑は吹き込まれたガスと処理剤に押されて流動しトーピード内で撹拌される。このランスパイプでは、ガス及び処理剤の溶銑中への吹込みに伴う振動が従来のＬ型ランスパイプに比較して少ない。これは噴出孔が２個と増え、噴出が分散されているため、膨大部２２の断面形状が長円形及びノズル管１２，１３が短いためとも考えられる。
【００４２】
吹き込まれたガスの分散と浮上に伴う撹拌により処理剤が効果的に溶湯と接触して所定の処理機能が果たされる。
【００４３】
このランスパイプの耐久性は従来のＬ型ランスパイプを上回るものである。この耐久性はガス及び処理剤の溶銑中への吹込みに伴う振動が少ないための物理的なストレスが少なく、振動が原因でおきる耐火物の亀裂及び脱落による低寿命での廃棄頻度を下げる以外に、さらに、先端側の太い部分の耐火物層の厚さを厚くし、かつノズル管の突出方向の耐火物層の厚さを、反対側の背向側の耐火物層の厚さより厚いものとして耐火物層の強度を高いものとしたことに起因すると考えている。
【００４４】
さらに、主管１１の主通路１０の底では一部の処理剤が栓１１５の底のプール４１に堆積する。この堆積した処理剤に後から送られる処理剤が衝突し、処理剤の栓１１５の底面への衝撃を抑制し、栓１１５の損傷を抑える。
【００４５】
このように本実施例のトーピード用ランスパイプは操作が容易であるとともに耐久性に富むものである。
【００４６】
本実施例では、トーピード用ランスパイプの膨大部２２の断面形状を図２に示すように長円形状とした。この断面形状を図３に示すようにトーピード用ランスパイプの膨大部の断面形状をノズル管の突出方向側を太く、他端側を細くすることもできる。この例では、肉厚の主管５を採用し、主管５より薄いノズル管５２，５３を採用している。そして、主管６を他端側に配置し、ノズル管５２，５３の突出方向側を太くし、両ノズル管５２，５３の周囲を分厚い耐火物層６内に位置するようにしている。
【００４７】
この例に示すトーピード用ランスパイプではノズル管５２，５３の開口部の浸食が激しい溶鋼に対して優れた耐蝕性を持つ。
【符号の説明】
【００４８】
１は芯金、１１は主管、１２，１３はノズル管、２は耐火物層、２１は棒状部、２２は膨大部、２３は中間部、１１５は栓である。
【図１】
2016161210.tif 000003
【図２】
2016161210.tif 000004
【図３】
2016161210.tif 000005
【図４】
2016161210.tif 000006